(57)【特許請求の範囲】
【請求項１】
左右方向に移動可能な引き違い式の前部引戸と後部引戸により、キャビネット本体の前面開口を開閉するようにしたキャビネットにおいて、
前記前部引戸および後部引戸を、前記キャビネット本体における外側板の前端より前方において開閉するように支持し、閉扉時における前記外側板の少なくとも一部の前縁と前記前部引戸または後部引戸との間に、手の指を外側方より挿入しうる間隙を設け、この間隙を、前記外側板に設けた弾性閉塞片により閉塞しうるようにしたことを特徴とするキャビネット。
【請求項２】
前部引戸における外側端部に、後方に向かって突出し、かつ後部引戸を開いたときに、後部引戸の側端面に当接して、後部引戸の移動を規制する規制片を設け、この規制片の後端を、後部引戸の後面と同一面上に位置するようにした請求項１記載のキャビネット。
【請求項３】
間隙を、外側板の前端における上下方向の全長に亘って設け、それに伴って、弾性閉塞片も、外側板の前端における上下方向の全長に亘って設けた請求項１または２記載のキャビネット。
【請求項４】
キャビネット本体内における左右方向の中間部に中仕切板を設け、この中仕切板の少なくとも一部の前縁と後部引戸の背面との間に、手の指を外側方より挿入しうる間隙を設け、この間隙を、前記中仕切板に設けた弾性閉塞片により閉塞しうるようにした請求項１〜３のいずれかに記載のキャビネット。
【請求項５】
前部引戸および／または後部引戸を、筆記ボードとした請求項１〜４のいずれかに記載のキャビネット。
【発明の詳細な説明】
【技術分野】
【０００１】
本発明は、左右方向に移動可能な引き違い戸により、キャビネット本体の前面開口を開閉するようにしたキャビネットに関する。
【背景技術】
【０００２】
この種のキャビネットは、例えば特許文献１に記載されているように、キャビネットの前面開口に、前後の引戸を、左右方向に移動可能なように設けて、前面開口を閉じた際、キャビネット内の物品収納部が露出しないように、前後の引戸の内方の側端部同士が前後に重なり合う状態で、前後の引戸の外方の側端部がキャビネットの外側板にそれぞれ当接させるのが一般的である。
【先行技術文献】
【特許文献】
【０００３】
【特許文献１】特開２００７−１６９９１２号公報
【発明の概要】
【発明が解決しようとする課題】
【０００４】
上記特許文献１に記載されているキャビネットは、引戸の操作に不練れな使用者がキャビネットの前面開口を閉じる際、引戸の外方の側端部とキャビネットの外側板との間に指を挟むおそれがある。
【０００５】
このような指を挟む状態を防止するために、前後の引戸とキャビネットの側壁との間の間隙を指の太さより広くすればよいが、このようにすると、キャビネット内の物品収納部が間隙から露出したり、キャビネットの見栄えが低下したりする。
【０００６】
本発明は、上記問題点に鑑みてなされたもので、構造が簡単で、万一、引戸の外方の側端部とキャビネットの外側板との間に指を挟んでも、安全に使用することができ、かつ、閉扉時において、物品収容部を露出させることなく、見栄えを向上させることができるようにしたキャビネットを提供することを目的としている。
【課題を解決するための手段】
【０００７】
本発明によると、上記課題は、次のようにして解決される。
（１）左右方向に移動可能な引き違い式の前部引戸と後部引戸により、キャビネット本体の前面開口を開閉するようにしたキャビネットにおいて、前記前部引戸および後部引戸を、前記キャビネット本体における外側板の前端より前方において開閉するように支持し、閉扉時における前記外側板の少なくとも一部の前縁と前記前部引戸または後部引戸との間に、手の指を側方より挿入しうる間隙を設け、この間隙を、前記外側板に設けた弾性閉塞片により閉塞しうるようにする。
【０００８】
このような構成とすると、閉扉時における外側板の少なくとも一部の前端と前部引戸または後部引戸との間に使用者の指が挟まれても、指が弾性閉塞片に当接して、弾性閉塞片が左右方向に撓むだけであるので、指に与える衝撃を緩和することができる。
また、弾性閉塞片は、閉扉時における外側板の前端と前部引戸または後部引戸との間に形成される間隙を閉塞するので、外側方よりキャビネット本体内の物品収納部が露出することがなく、キャビネットの見栄えを向上させることもできる。
【０００９】
（２）上記（１）項において、前部引戸における外側端部に、後方に向かって突出し、かつ後部引戸を開いたときに、後部引戸の側端面に当接して、後部引戸の移動を規制する規制片を設け、この規制片の後端を、後部引戸の後面と同一面上に位置するようにする。
【００１０】
このような構成とすると、規制片の後端が後部引戸の後面と同一面上に位置するので、規制片および後部引戸の後面と左右の外側板の前端および弾性閉塞片との距離が同一になり、弾性閉塞片の前後方向の長さを統一でき、キャビネットの構造を簡易にすることができる。
また、左右の引戸を、前後軸回りに１８０度回転させて使用する場合にも、両引戸に対する外側板および弾性閉塞片の形状等を変更することなく使用することができる。
【００１１】
（３）上記（１）または（２）項において、間隙を、外側板の前端における上下方向の全長に亘って設け、それに伴って、弾性閉塞片も、外側板の前端における上下方向の全長に亘って設ける。
【００１２】
このような構成とすると、前部引戸または後部引戸の外側端における上下方向のどのような部位を掴んで開閉操作する場合でも、指挾みによる衝撃を緩和することができ、安全性をより高めることができる。
【００１３】
（４）上記（１）〜（３）項のいずれかにおいて、キャビネット本体内における左右方向の中間部に中仕切板を設け、この中仕切板の少なくとも一部の前縁と後部引戸の背面との間に、手の指を外側方より挿入しうる間隙を設け、この間隙を、前記中仕切板に設けた弾性閉塞片により閉塞しうるようにする。
【００１４】
このような構成とすると、後部引戸を開いたときに、後部引戸と中仕切板との間に指が挟まれても、指が弾性閉塞片に当接して、弾性閉塞片が左右方向に撓むだけであるので、指に与える衝撃を緩和させることができ、安全性を高めることができる。
【００１５】
（５）上記(１)から（４）項のいずれかにおいて、前部引戸および／または後部引戸を筆記ボードとする。
【００１６】
このような構成とすると、キャビネットの前部引戸および／または後部引戸を筆記ボードとして使用できるので、利便性が向上し、特に教室用の什器として好適である。
【発明の効果】
【００１７】
本発明によると、構造が簡単で、万一、引戸の外方の側端部とキャビネットの外側板との間に指を挟んでも、安全に使用でき、かつ、閉扉時において、物品収容部を露出させることなく、見栄えを向上させることができるようにしたキャビネットを提供することができる。
【図面の簡単な説明】
【００１８】
【図１】本発明のキャビネットの一実施形態の斜視図である。
【図２】図１のII−II線における横断平面図である。
【図３】図２のIII−III線における拡大縦断側面図である。
【図４】後部引戸を閉じる状態における左側部の拡大横断平面図である。
【発明を実施するための形態】
【００１９】
以下、本発明の実施形態を、図面に基づいて説明する。
図１〜図４は、本発明のキャビネットの一実施形態を示す。
【００２０】
図１および図２に示すように、キャビネット１は、横長箱状のキャビネット本体２と、このキャビネット本体２の前方に設けた後部引戸３と、この後部引戸３の前方に設けた前部引戸４と、閉扉時における後部引戸３、および／または前部引戸４とキャビネット本体２との間に形成される間隙を閉塞する弾性閉塞片５、５とからなっている。
【００２１】
キャビネット本体２は、底板６と、左右の外側板７、７と、後面板８と、天板９と、２枚の内側板１０、１０を重合して固着した中仕切板１１とからなっている。
因みに、この例では、前面が開口する２個の筐体を左右に並べて結合することにより、互いに重合する内側板１０、１０をもって、中仕切板１１を構成してある。
【００２２】
左右の外側板７、７の内側面の前後部、および左右の内側板１０、１０の外面前後部には、それぞれ上下方向を向く角管状の補強部７ａ、１０ａが形成されている。
【００２３】
図３に示すように、底板６の前端部、および天板９の前端部には、それぞれ左右方向を向く角管状の補強部６ａ、９ａが、互いに対向するように設けられている。
【００２４】
これらの上下の補強部９ａ、６ａの前面には、嵌合孔１２、１３がそれぞれ設けられており、各嵌合孔１２、１３に、それぞれガイド支持板１４、１５の後半部を嵌合し、その後半部を各補強部９ａ、６ａ内に設けた補強部材１６、１７に、それぞれ前後２本の止めねじ１８をもって固着することにより、ガイド支持板１４、１５は、その前半部が各補強部９ａ、６ａより前方に突出するようにして、キャビネット本体２の前面上下部に取り付けられている。
【００２５】
上方のガイド支持板１４の前半部には、下面に前後１対の左右方向を向く案内溝１９、１９を設けた上部ガイド部材２０が重合され、止めねじ２１をもって固着されている。
【００２６】
上部ガイド部材２０における前後の案内溝１９の側端部には、ゴムまたは合成樹脂製のストッパを兼ねる閉塞部材２２が、止めねじ（図示略）をもって固着されている。
【００２７】
下方のガイド支持板１５の前半部上面には、上面に左右方向を向く前後１対のガイドレール２３を設けた下部ガイド部材２４が嵌合され、止めねじ２５をもって固着されている。
【００２８】
図１〜図３に示すように、後部引戸３および前部引戸４は、前面を筆記面としたホワイトボード等の方形の筆記ボード３ａ、４ａを、方形の枠体３ｂ、４ｂ内に嵌着したものよりなっている。
後部引戸３の枠体３ｂにおける左側部前面には、上下方向に長い手掛け部２６が凹設されており、前部引戸４の枠体４ｂにおける左右の両側部前面には、上下方向に長い手掛け部２７、２８が凹設されている。
【００２９】
前部引戸４の枠体４ｂの左端部前面における手掛け部２７より下方の部分には、シリンダ錠２９が取り付けられている。
このシリンダ錠２９は、閉扉時にキー(図示略)を挿入して、施錠方向に回動させることにより、ロックピン(図示略)が後部引戸３と係合して施錠され、キーを解錠方向に回動して、抜くことにより、ロックピンが後部引戸３から離脱して解錠されるようになっている。
【００３０】
図３に示すように、後部引戸３の枠体３ｂにおける下端両側部には、下端に左右方向を向くガイド溝３０ａを有する左右１対の摺動体３０(その左方のもののみを図示する)が設けられ、また枠体３ｂにおける上端両側部には、垂直軸３１ａ回りに回転可能とした左右１対のガイドローラ３１(その左方のもののみを図示する)が設けられている。なお、摺動体３０に代えて、戸車(図示略)を用いることもある。
【００３１】
後部引戸３は、ガイドローラ３１を後方の案内溝１９に嵌合し、摺動体３０を後方のガイドレール２３に跨嵌することにより、後方のガイドレール２３に沿って、左右方向に円滑に摺動しうるようになっている。
また、前部引戸４も、図示は省略してあるが、後部引戸３と同様に、摺動体３０およびガイドローラ３１を備え、ガイドローラ３１を前方の案内溝１９に嵌合させて、摺動体３０を前方のガイドレール２３に跨嵌することにより、前方のガイドレール２３に沿って左右方向に円滑に摺動しうるようになっている。
【００３２】
後部引戸３の左右方向の幅は、キャビネット本体２の前面開口のほぼ半分を閉塞しうるものとしてある（図２参照）。
前部引戸４の左右方向の幅は、後部引戸３のそれよりも若干大とし、前部引戸４における枠体４ｂの右側部後面には、後方に向かって突出し、かつ後部引戸３を開いたときに、後部引戸３の右側端面に当接して、後部引戸３が前部引戸４より右方へ移動しないように規制する規制片３２を設けてある。この規制片３２の後端は、後部引戸３の後面と同一面上に位置するようにしてある。
【００３３】
このように、引違い式の後部引戸３と前部引戸４とは、キャビネット本体２における左右の外側板７、７の前端より前方において開閉するように支持され、左右の外側板７、７の前端および中仕切板１１の前端と、後部引戸３の後面および前部引戸４における規制片３２の後端との間には、手の指を側方より挿入しうる間隙が形成されている。
【００３４】
図２に示すように、キャビネット本体２における左右の外側板７の前方の補強部７ａの内側面、および中仕切板１１における左方の内側板１０の前方の補強部１０ａの左側面には、上記各間隙の少なくとも一部、好ましくは全部を閉塞する弾性閉塞片５が、取付部材３３をもって取付けられている。
【００３５】
この取付部材３３は、図４に示すように、外向コ字状をなし、その前端の外向片３３ａを、弾性閉塞片５における平面視内向コ字状の基部５ａの差込溝５ｂに差し込んだ状態で、外側板７における前方の補強部７ａの内側面に当接し、止めねじ３４をもって補強部７ａに固着することにより、弾性閉塞片５の基部５ａを補強部７ａと外向片３３ａとにより挾着し、弾性閉塞片５における基部５ａの前面の左右方向の中間部に、前向きに突設された中空の可撓片５ｃを、前方を向くようして保持している。
【００３６】
この例では、左右および中間のすべての弾性閉塞片５の前後方向の長さを同一としているが、例えば、規制片３２を設けない場合等においては、右外側板７における弾性閉塞片５の前後方向の長さを、左外側板７における弾性閉塞片５の長さより大とし、閉扉時の前部引戸４の外側端(右側端)と右外側板７の前端との間に形成される間隙の少なくとも一部、好ましくは全部を閉塞するようにすることもある。
【００３７】
右外側板７および中仕切板１１への弾性閉塞片５の取付構造は、左外側板７への弾性閉塞片５の取付構造と左右対称となるので、それらについての詳細な説明は省略する。
【００３８】
次に、図１〜図４を参照して、本実施形態のキャビネットにおける開閉動作について説明する。
【００３９】
後部引戸３と前部引戸４を閉じているときは、後部引戸３の左側端は、左外側板７における弾性閉塞片５と前後方向にほぼ整合し、かつ前部引戸４の右側端の規制片３２は、右外側板７における弾性閉塞片５と前後方向に整合し、キャビネット本体２内の物品収容部が外部に露呈することはない（図１および図２参照）。
【００４０】
後部引戸３を開いた状態から、後部引戸３の左側端部を把持して閉じる際の閉じ終わる直前に、図４に示すように、後部引戸３における左側端部の裏面に掛けた指Ｆが、左外側板７における弾性閉塞片５に当接するが、そのとき、弾性閉塞片５の可撓片５ｃが、２点鎖線で示すように、外側方に弾性撓曲することにより、指Ｆに与える衝撃を緩和することができる。また、指Ｆが、左外側板７の前縁に直接当接するわけでないので安全である。さらに、指Ｆが、左外側板７における弾性閉塞片５に当接することにより、使用者に注意を促すことができるので、より安全性を高めることができる。
【００４１】
弾性閉塞片５における可撓片５ｃは、左右方向に可撓性を有するとともに、中空構造をもって変形可能であるので、指Ｆを弾性閉塞片５と後部引戸３との間から容易に引き離すことができる。
【００４２】
以上は、左外側板７に設けた弾性閉塞片５の作用および効果についてであるが、右外側板７および中仕切板１１に設けた弾性閉塞片５も、同様の作用を有し、同様の効果を奏することができる。
【００４３】
以上説明したように、このキャビネット１によると、左右の外側板７、７における弾性閉塞片５、５は、キャビネット本体２内における物品収容部を外側方に露出させないので、キャビネット１の見栄えを向上されることができる。
【００４４】
また後部引戸３または前部引戸４の閉扉時に、左右の弾性閉塞片５、５が指Ｆの挾み込みを防止し、万一、指Ｆが挟まれた場合は衝撃を緩和することができる。さらに中仕切板１１における弾性閉塞片５も、後部引戸３または前部引戸４の開扉時に、指Ｆの挾み込みを防止し、万一、指Ｆが挟まれた場合は衝撃を緩和することができ、安全性を向上させることができる。
【００４５】
本発明のキャビネットは、上記実施形態に限定されるものではない。
上記実施形態において、規制片３２を、前部引戸４の右側端部に設けるものとしてあるが、前部引戸４と後部引戸３の配置を左右に入れ替え、前部引戸４の左側端部に設けるものとすることもある。要は、後部引戸３の左右いずれか一方の移動を規制するようにすればよい。
また、各弾性閉塞片５を、外側板７の前縁の全長に亘って設けてあるが、例えば、外側板７の前縁の一部に後方に凹入し、手の指を側方より挿入しうる切欠きを設け、この切欠きを閉塞しうるように弾性閉塞片５を設けてもよい。
【符号の説明】
【００４６】
１  キャビネット
２  キャビネット本体
３  後部引戸
３ａ筆記ボード
３ｂ枠体
４  前部引戸
４ａ筆記ボード
４ｂ枠体
５  弾性閉塞片
５ａ基部
５ｂ差込溝
５ｃ可撓片
６  底板
６ａ補強部
７  外側板
７ａ補強部
８  後面板
９  天板
９ａ補強部
１０  内側板
１０ａ補強部
１１  中仕切板
１２、１３  嵌合孔
１４、１５  ガイド支持板
１６、１７  補強部材
１８  止めねじ
１９  案内溝
２０  上部ガイド部材
２１  止めねじ
２２  閉塞部材
２３  ガイドレール
２４  下部ガイド部材
２５  止めねじ
２６、２７、２８  手掛け部
２９  シリンダ錠
３０  摺動体
３０ａガイド溝
３１  ガイドローラ
３１ａ垂直軸
３２  規制片
３３  取付部材
３３ａ外向片
３４  止めねじ
Ｆ  指
【図１】
0005587738.tif 000002
【図２】
0005587738.tif 000003
【図３】
0005587738.tif 000004
【図４】
0005587738.tif 000005